(57)【要約】【課題】ウインドウを開けたままにしても、全閉状態と少し開けておく状態とを選択した状態でウインドウを強制的に閉動作させる。【解決手段】ウインドウを開けたままの状態で、イグニッションをオフにして乗員が車両を離れた際に、セレクトスイッチの設定位置を判断し（ステップＳ２、Ｓ４）、全閉モード（ステップＳ３）もしくは所定開きモード（ステップＳ５）を選択し、強制的にウインドウを閉じる。【選択図】図４
2014211017.tif 000002
【特許請求の範囲】
【請求項１】
車両用パワーウインドウ装置であって、
車両のウインドウを開閉させる開閉駆動手段と、
前記ウインドウの開度を検出する開度検出手段と、
予め設定された所定の開き位置を記憶する記憶手段と、
エンジンのイグニッションがオフ状態であると検出された場合、前記ウインドウを全閉位置に動作する全閉モード、もしくは、前記ウインドウを記憶手段で記憶された前記所定の開き位置となるように前記開閉駆動手段を駆動させる所定開きモードになるように前記開閉駆動手段を駆動させる制御手段と、
前記全閉モード、もしくは、前記所定開きモードを選択する選択手段とを備えた
ことを特徴とするパワーウインドウ装置。
【請求項２】
請求項１に記載のパワーウインドウ装置において、
前記所定開きモードにおける前記ウインドウの開き位置は、
前記ウインドウが全閉にされた後に開動作される位置として設定される
ことを特徴とするパワーウインドウ装置。
【請求項３】
請求項１もしくは請求項２に記載のパワーウインドウ装置において、
前記所定開きモードにおける前記ウインドウの所定の開き位置の制御は、
前記全閉位置から前記所定の開き位置までの前記開閉駆動手段の駆動時間により制御される
ことを特徴とするパワーウインドウ装置。
【請求項４】
請求項１から請求項３のいずれか一項に記載のパワーウインドウ装置において、
乗員が乗車していないことを検出する乗員検出手段を備え、
前記制御手段は、前記乗員検出手段により前記乗員が乗車していないことが検出された時に、前記開閉駆動手段を駆動させる
ことを特徴とするパワーウインドウ装置。
【請求項５】
請求項１から請求項４のいずれか一項に記載のパワーウインドウ装置において、
前記所定開きモードにおける前記ウインドウの所定の開き位置は、デバイスにより任意の位置に設定される
ことを特徴とするパワーウインドウ装置。
【発明の詳細な説明】
【技術分野】
【０００１】
本発明は、使用者の意図を反映しつつウインドウの閉め忘れをなくすことができるパワーウインドウ装置に関する。
【背景技術】
【０００２】
車両用のパワーウインドウ装置は、電動モータによりウインドウが昇降され（開閉され）、スイッチ操作等でウインドウガラスガ乗員の意思に基づいた開き具合に調整される。乗員が車両を離れる時のウインドウの閉じ忘れに対処するため、イグニッションがオフにされた状態でウインドウを開けたまま乗員が車両を離れた場合、ウインドウを強制的に閉じ方向に動作させる技術が従来から知られている（特許文献１）。
【０００３】
特許文献１に開示された技術では、ウインドウを開けたまま乗員が車両を離れた場合にはウインドウが強制的に閉じられると共に、駐車中の換気のためにウインドウを少し開けておきたい場合には、強制的に閉じる操作が禁止されて、開けられていた状態が維持される。このため、ウインドウを少し開ける状態を選択可能にして、ウインドウを開けたまま乗員が車両を離れた場合にウインドウを強制的に閉じることができ、ウインドウの閉め忘れをなくすことができる。
【０００４】
しかし、特許文献１に記載された技術では、ウインドウを少し開けておきたい場合には、乗員は、ウインドウを強制的に閉じる操作を禁止するモードを選択すると共に、予めウインドウを所望の開き状態に調節しておく必要があった。つまり、特許文献１に記載された技術では、制御時は、ウインドウを全閉位置へのみ動作（駆動）できるようになっている。
【０００５】
パワーウインドウ装置として、ウインドウを強制的に閉じる場合、乗員の意思により、ウインドウを少し開けておく状態が選択できれば、つまり、ウインドウを少し開けておく状態に動作（駆動）できれば、予めウインドウを所望の開き状態に調節する操作が不要になり、使い勝手の良いパワーウインドウ装置となる。
【先行技術文献】
【特許文献】
【０００６】
【特許文献１】特開平７−３０５５６２号公報
【発明の概要】
【発明が解決しようとする課題】
【０００７】
本発明は上記状況に鑑みてなされたもので、ウインドウを開けたままにしても、ウインドウの全閉状態とウインドウを少し開けておく状態とを選択して、ウインドウを強制的に閉じることができるパワーウインドウ装置を提供することを目的とする。
【課題を解決するための手段】
【０００８】
上記目的を達成するための請求項１に係る本発明のパワーウインドウ装置は、車両用パワーウインドウ装置であって、車両のウインドウを開閉させる開閉駆動手段と、前記ウインドウの開度を検出する開度検出手段と、予め設定された所定の開き位置を記憶する記憶手段と、エンジンのイグニッションがオフ状態であると検出された場合、前記ウインドウを全閉位置に動作する全閉モード、もしくは、前記ウインドウを記憶手段で記憶された前記所定の開き位置となるように前記開閉駆動手段を駆動させる所定開きモードになるように前記開閉駆動手段を駆動させる制御手段と、前記全閉モード、もしくは、前記所定開きモードを選択する選択手段とを備えたことを特徴とする。
【０００９】
つまり、本発明のパワーウインドウ装置は、ウインドウの開度を検出する開度検出手段と、予め設定された所定の開き位置を記憶する記憶手段と、エンジンのイグニッションがオフ状態であると検出された場合、ウインドウを全閉位置に動作する全閉モードと、ウインドウを所定の開き位置となるように開閉駆動手段を駆動させる所定開きモードと、これらの２つのモードの何れかを選択する選択手段とを備えることを特徴としている。
【００１０】
請求項１に係る本発明では、選択手段により全閉モード、もしくは、所定開きモードが選択され、ウインドウが開けられたままの状態で、エンジンのイグニッションがオフにされても、制御手段により開閉駆動手段が駆動されて、ウインドウが全閉位置、もしくは、記憶手段に記憶されて予め設定された所定の開き位置（複数位置から選択された位置も含む）に制御される。
【００１１】
このため、ウインドウが開けられたままの状態で、イグニッションをオフにしても、ウインドウの全閉状態とウインドウを少し開けておく状態とを選択して、ウインドウを強制的に閉じることができ、ウインドウの閉め忘れをなくすことができる。
【００１２】
そして、請求項２に係る本発明のパワーウインドウ装置は、請求項１に記載のパワーウインドウ装置において、前記所定開きモードにおける前記ウインドウの開き位置は、前記ウインドウが全閉にされた後に開動作される位置として設定されることを特徴とする。
【００１３】
請求項２に係る本発明では、ウインドウが全閉にされた後に開動作させてウインドウを所定の開き位置に制御するので、基準となる位置から所定の開き位置までの動作量を最小限にすることができ、ウインドウを所定の開き位置に正確に合わせることができる。例えば、複数のウインドウを所定の開き位置に制御する場合、複数のウインドウの開き位置を揃えることが容易となる。
【００１４】
また、請求項３に係る本発明のパワーウインドウ装置は、請求項１もしくは請求項２に記載のパワーウインドウ装置において、前記所定開きモードにおける前記ウインドウの所定の開き位置の制御は、前記全閉位置から前記所定の開き位置までの前記開閉駆動手段の駆動時間により制御されることを特徴とする。
【００１５】
請求項３に係る本発明では、開閉駆動手段の駆動時間によりウインドウの所定の開き位置を制御することができる。
【００１６】
また、請求項４に係る本発明のパワーウインドウ装置は、請求項１から請求項３のいずれか一項に記載のパワーウインドウ装置において、乗員が乗車していないことを検出する乗員検出手段を備え、前記制御手段は、前記乗員検出手段により前記乗員が乗車していないことが検出された時に、前記開閉駆動手段を駆動させることを特徴とする。
【００１７】
請求項４に係る本発明では、乗員検出手段により乗員が乗車していないことが検出された時に、開閉駆動手段を駆動させるので、乗員が離れた際にウインドウが全閉位置、もしくは、所定の開き位置に制御される。
【００１８】
乗員検出手段は、例えば、センサー等で乗員を直接検出する手段、車内からドアロックしたことにより乗員が車内に存在することを推定する手段、車外からドアロックしたことにより乗員が車内に存在しないことを推定する手段等、種々の手段を適用することができる。
【００１９】
また、請求項５に係る本発明のパワーウインドウ装置は、請求項１から請求項４のいずれか一項に記載のパワーウインドウ装置において、前記所定開きモードにおける前記ウインドウの所定の開き位置は、デバイスにより任意の位置に設定されることを特徴とする。
【００２０】
請求項５に係る本発明では、車内のデバイスや、外部のデバイス、例えば、携帯端末によりウインドウの所定の開き位置を任意に設定することができる。
【発明の効果】
【００２１】
本発明のパワーウインドウ装置は、ウインドウを開けたままの状態で、イグニッションをオフにしても、ウインドウの全閉状態とウインドウを少し開けておく状態とを選択して、ウインドウを強制的に閉じることができ、ウインドウの閉め忘れをなくすことができる。
【図面の簡単な説明】
【００２２】
【図１】本発明の一実施例に係るパワーウインドウ装置の構成図である。
【図２】ウインドウ操作スイッチの概略図である。
【図３】パワーウインドウ装置のブロック構成図である。
【図４】パワーウインドウ装置の動作フローチャートである。
【図５】パワーウインドウ装置の動作フローチャートである。
【図６】パワーウインドウ装置の動作フローチャートである。
【発明を実施するための形態】
【００２３】
本実施例のパワーウインドウ装置は、ウインドウを全閉位置に制御する全閉モード、もしくは、ウインドウを予め設定された所定の開き位置に制御する所定開きモードになるようにする制御手段を備え、セレクトスイッチ（選択手段）により、全閉モードの制御、もしくは、所定開きモードの制御を選択することで、ウインドウが全閉位置、もしくは、予め設定された所定の開き位置に制御されるものである。
【００２４】
このため、ウインドウを開けたままの状態で、イグニッションをオフにしても、全閉状態と少し開けておく状態とのいずれかにより、ウインドウを強制的に閉じることができ、ウインドウの閉め忘れをなくすことができる。
【００２５】
つまり、ウインドウを閉め忘れた状態で、イグニッションをオフにしても、防犯目的でウインドウを全閉にしたり、車内温度の上昇防止を目的としてウインドウを少し開けておく状態にしたりすることができる。
【００２６】
図１から図３に基づいて本発明の一実施例に係るパワーウインドウ装置の構成を具体的に説明する。
【００２７】
図１には本発明の一実施例に係るパワーウインドウ装置により開閉されるウインドウの昇降機構を説明する概略構成、図２にはウインドウ操作スイッチの外観状況、図３にはパワーウインドウ装置の制御ブロックを示してある。
【００２８】
図１に基づいてパワーウインドウ装置の昇降機構を説明する。
【００２９】
図に示すように、ドア１の内部にはドアサッシュ２が備えられ、ドアサッシュ２にはウインドウ３が昇降自在（開閉自在）に支持されている。ドア１のドアパネルの内部にはウインドウレギュレータ４が配され、ウインドウレギュレータ４によりウインドウ３が昇降駆動（開閉駆動）される。
【００３０】
つまり、ウインドウレギュレータ４には開閉駆動手段としての駆動モータ５が設けられ、駆動モータ５の駆動により、駆動ギヤ６、昇降アーム７、従動アーム８を介してウインドウ３が昇降駆動（開閉駆動）される。駆動モータ５は、後述する操作スイッチを乗員が操作することにより駆動され、ウインドウ３が所望の状態に開閉される。
【００３１】
また、駆動モータ５には、制御手段としての強制制御手段１１から駆動の指令が送られ、ウインドウ３を開けたままの状態で、イグニッションをオフにしても、ウインドウ３が、全閉位置、もしくは、予め設定された所定の開き位置に、強制的に閉動作（制御）される。
【００３２】
図２に基づいてウインドウ操作スイッチの構成を説明する。
【００３３】
図に示すように、例えば、ドア１の車室内側にはパワーウインドウ装置のウインドウ操作スイッチ１２が備えられ、ウインドウ操作スイッチ１２にはウインドウ３を手動で開閉させるための操作スイッチ１３が設けられている。運転席、助手席、左右の後部座席のそれぞれのウインドウ３を操作するため、操作スイッチ１３は４個備えられている。
【００３４】
そして、ウインドウ操作スイッチ１２には、選択手段としてのセレクトスイッチ１５が設けられている。セレクトスイッチ１５は、ウインドウ３を強制的に閉動作させるためのスイッチで、ウインドウ３が全閉位置になるように制御する状態（全閉モード）、もしくは、予め設定された所定の開き位置になるように制御する状態（所定開きモード）のいずれかを選択するものである。
【００３５】
例えば、セレクトスイッチ１５は、回動位置により３位置が選択されて、「全閉」、「所定開」、「ＯＦＦ」が表示される。
【００３６】
「全閉」の表示位置を選択した場合、強制制御手段１１（図１参照）により駆動モータ５（図１参照）が全閉モードで制御され、「所定開」の表示位置を選択した場合、強制制御手段１１（図１参照）により駆動モータ５（図１参照）が所定開きモードで制御される。「ＯＦＦ」の表示位置を選択した場合、強制制御手段１１（図１参照）による制御がキャンセルされる。
【００３７】
尚、詳細は省略するが、セレクトスイッチ１５に、所定開きモードにおける開き量等を任意に設定する機能を付加することが可能である。また、車内の機器（デバイス）や乗員の携帯端末で所定開きモードにおける開き量等を任意に設定する機能を付加することが可能である。
【００３８】
図３に基づいて強制制御手段１１の制御ブロック構成を説明する。
【００３９】
図に示すように、強制制御手段１１には、「全閉」、「所定開」、「ＯＦＦ」のモードを設定するモード設定手段２１が備えられている。強制制御手段１１には記憶手段２２が備えられ、記憶手段２２には、所定開きモードにおける開き量が予め設定されて記憶されている。
【００４０】
尚、記憶手段２２には複数の開き量が設定され、適宜選択できるようにすることも可能である。
【００４１】
強制制御手段１１には、セレクトスイッチ１５の情報、ドアロックスイッチの情報、乗員検出手段としての乗員センサーの情報、エンジンＥＣＵの情報が入力される。これらの入力情報に基づいて、強制制御手段１１では、セレクトスイッチ１５の選択状態、ドアロックの状態、乗員の乗車の状況、イグニッションがオフになっているか否かの状況が判断される。
【００４２】
各種の入力情報に応じて、強制制御手段１１からは、駆動モータ５に駆動指令が出力され、ウインドウ３が所望の状態に駆動制御される。例えば、ウインドウ３を開けたままの状態で、イグニッションがオフにされ、乗員が車両から離れた際に、ウインドウ３を強制的に全閉状態にしたり、ウインドウ３を強制的に少し開けておく状態に閉じたりするように、駆動モータ５が制御される。
【００４３】
パワーウインドウ装置には挟まれ判定機能が備えられ、ウインドウ３が閉じられる際に何らかが挟まれた場合には、ウインドウ３の閉動作がキャンセルされて少し開動作される。挟まれ判定機能の情報が強制制御手段１１に入力され、ウインドウ３を強制的に全閉状態にしたり、ウインドウ３を強制的に少し開けておく状態に閉じたりする際に、何らかが挟まれた場合には一旦閉動作が停止する。
【００４４】
図４から図６に基づいて、上述したパワーウインドウ装置の具体的な処理の流れを説明する。図４から図６にはウインドウ３を開けたままの場合にウインドウ３を強制的に閉制御する際の制御の流れを示してある。
【００４５】
本実施例は、車両を駐車してウインドウ３（例えば、４つのウインドウ３の一部もしくは全部）を閉め忘れた状態で乗員が車両を離れた際に（イグニッションをオフにしても）、防犯目的でウインドウ３を全閉にしたり、防犯、及び、車内温度の上昇防止を目的としてウインドウ３を少し開けておく状態にしたりすることができるようにしたものである。
【００４６】
図４に基づいてモード選択の処理を説明する。
【００４７】
処理がスタートすると、前提条件として、ステップＳ１でドアがアンロック（乗員が乗車している）であることが確認され、セレクトスイッチ１５が操作されているかどうか、即ち、ウインドウ３を閉め忘れた状態で強制的にウインドウ３を閉じる制御を実施する意思があるかどうかが判断される。
【００４８】
即ち、ステップＳ２でセレクトスイッチ１５が「全閉」の位置にあるか否かが判断され、ステップＳ２でセレクトスイッチ１５が「全閉」の位置にあると判断された場合、ステップＳ３の全閉ルーチンの処理に移行して終了となる。
【００４９】
つまり、乗員は、ウインドウ３を閉め忘れた場合には、防犯を目的としてウインドウ３が全閉にされることを選択している。
【００５０】
ステップＳ２でセレクトスイッチ１５が「全閉」の位置にないと判断された場合、ステップＳ４でセレクトスイッチ１５が「所定開」の位置にあるか否かが判断される。ステップＳ４でセレクトスイッチ１５が「所定開」の位置にあると判断された場合、ステップＳ５の所定開きルーチンの処理に移行して終了となる。
【００５１】
つまり、乗員は、ウインドウ３を閉め忘れた場合には、防犯を目的とすると共に、車内の換気を行うことを目的とするために、ウインドウ３を少し開いた状態で閉じられることを選択している。
【００５２】
ステップＳ４でセレクトスイッチ１５が「所定開」の位置にないと判断された場合、即ち、セレクトスイッチ１５が「全閉」の位置になく、「所定開」の位置にもないと判断された場合、セレクトスイッチ１５が「ＯＦＦ」の位置にあるとされ、処理が終了し、ウインドウ３が手動で操作できる状態にされる。
【００５３】
図５に基づいて全閉モードの処理を説明する。
【００５４】
ステップＳ１０でイグニッションがオン（ＩＧ・ＯＮ）であるか否かが判断され、ステップＳ１０でイグニッションがオンであると判断された場合、ステップＳ１１でパワーウインドウの作動時間がカウントされる。つまり、例えば、４つのウインドウ３を開閉させるための駆動モータ５の作動時間がそれぞれカウントされ、駆動モータ５の作動時間に応じて、それぞれのウインドウ３の開き位置が把握される。
【００５５】
ステップＳ１０でイグニッションがオンではない、即ち、イグニッションが既にオフとなっていると判断された場合、処理は終了となる。
【００５６】
ステップＳ１１におけるパワーウインドウの作動時間のカウントは、ウインドウ３を開閉させるための駆動モータ５の正・逆転駆動の作動時間がプラス・マイナス（±）でカウントされ、カウント値が±０の時に、ウインドウ３が全閉となっている。
【００５７】
ステップＳ１１でパワーウインドウの作動時間がカウントされた後、ステップＳ１２でイグニッションがオフ（ＩＧ・ＯＦＦ）にされ、ステップＳ１３でパワーウインドウの作動時間が記憶される。乗員が車両から降りるとドアロックを行うことになるため、ステップＳ１４でドアがロックされ、乗員センサーの情報に基づいて、ステップＳ１５で乗員が乗車していないか否か（乗員なしか否か）が判断される。
【００５８】
尚、乗員検出手段としては、乗員センサーの他に、車内からドアロックしたことにより乗員が車内に存在することを推定する手段や、車外から遠隔操作等でドアロックしたことにより乗員が車内に存在しないことを推定する手段等、種々の手段を適用することができる。
【００５９】
ステップＳ１５で乗員なしと判断された場合、ステップＳ１６でドアロック後に所定時間が経過したか否かが判断される。ステップＳ１６の判断は、所定時間が経過するまで繰り返される。つまり、乗員が車両から離れてから所定時間が経過したか否かが判断される。
【００６０】
所定時間は任意に設定可能であり、車内の機器（セレクトスイッチ１５、電子機器等）で予め設定したり、乗員の携帯端末を用いてその都度設定したりすることが可能である。基準の時間の例としては、２分程度が適用される。
【００６１】
ステップＳ１５で乗員なしではない、即ち、乗員が乗車していると判断された場合、ステップＳ１０に移行してイグニッションがオン（ＩＧ・ＯＮ）であるか否かが判断される。
【００６２】
ステップＳ１６でドアロック後に所定時間が経過したと判断された場合、ステップＳ１７で開いているウインドウ３があるか否かが判断される。つまり、イグニッションがオフの状態で、乗員が車両を離れた際に、ウインドウ３の閉め忘れがあるか否かが判断される。開いているウインドウ３があるか否かの判断は、全てのパワーウインドウの作動時間のカウント値が総合して判断され、駆動モータ５の作動時間のカウント値がプラスマイナス０以外の時に、いずれかの（全ての）ウインドウ３が開いたままであると判断される。
【００６３】
ステップＳ１７で開いているウインドウ３がない、即ち、全てのウインドウ３が閉じられて閉め忘れがないと判断された場合、処理は終了となる。
【００６４】
ステップＳ１７で開いているウインドウ３があると判断された場合、イグニッションがオフの状態で、乗員が車両を離れた際に、ウインドウ３の閉め忘れがあると判断され、ステップＳ１８でウインドウ３が全閉にされる（駆動モータ５がウインドウ３を閉じる方向に駆動する）。
【００６５】
ウインドウ３が閉じられる過程で、即ち、ステップＳ１９で挟まれ判定がないか否かが判断され、ステップＳ１９で挟まれ判定がないと判断された場合、処理が終了となる。ステップＳ１９で挟まれ判定があると判断された場合、ステップＳ１７の処理に移行し、挟まれ判定がない状態になるまで処理が繰り返される。
【００６６】
防犯を目的としてウインドウ３を全閉にすることを乗員が選択している場合に、イグニッションがオフの状態で、乗員が車両を離れた際に、ウインドウ３の閉め忘れがあっても、ウインドウ３が強制的に全閉状態に閉じられる。
【００６７】
従って、ウインドウ３を閉め忘れた状態で、イグニッションをオフにして乗員が車両を離れても、防犯を目的としてウインドウを全閉にすることができ、ウインドウ３の閉め忘れをなくすことができる。
【００６８】
図６に基づいて所定開きモードの処理を説明する。
【００６９】
所定開きモードの処理は、図５に示した全閉モードの処理の全閉動作の後に、ウインドウ３を所定量開く処理となっている。このため、図６に示したフローチャートでは、図５に対応するステップ番号に１０をプラスした番号を付してあり、対応する処理の説明については、重複する一部の説明は省略してある。
【００７０】
ステップＳ２０でイグニッションがオン（ＩＧ・ＯＮ）であるか否かが判断され、ステップＳ２０でイグニッションがオンであると判断された場合、ステップＳ２１でパワーウインドウの作動時間がカウントされる。ステップＳ２０でイグニッションがオンではない、即ち、イグニッションが既にオフとなっていると判断された場合、処理は終了となる。
【００７１】
ステップＳ２１でパワーウインドウの作動時間がカウントされた後、ステップＳ２２でイグニッションがオフ（ＩＧ・ＯＦＦ）にされ、ステップＳ２３でパワーウインドウの作動時間が記憶される。ステップＳ２４でドアがロックされ、乗員センサーの情報に基づいて、ステップＳ２５で乗員が乗車していないか否か（乗員なしか否か）が判断される。
【００７２】
ステップＳ２５で乗員なしと判断された場合、ステップＳ２６でドアロック後に所定時間が経過したか否かが判断され、所定時間が経過するまで判断が繰り返される。所定時間の設定は、全閉モードの場合と同様に、任意であり、予め車内の機器で設定したり、乗員の携帯端末を用いてその都度設定したりすることが可能である。基準の時間の例としては、２分程度が適用される。
【００７３】
ステップＳ２５で乗員が乗車していると判断された場合、ステップＳ２０に移行してイグニッションがオン（ＩＧ・ＯＮ）であるか否かが判断される。
【００７４】
ステップＳ２６でドアロック後に所定時間が経過したと判断された場合、ステップＳ２７で開いているウインドウ３があるか否かが、パワーウインドウの作動時間のカウント値に基づいて判断される。つまり、イグニッションがオフの状態で、乗員が車両を離れた際に、ウインドウ３の閉め忘れがあるか否かが判断される。
【００７５】
ステップＳ２７で全てのウインドウ３が閉じられて閉め忘れがないと判断された場合、処理は終了となる。
【００７６】
ステップＳ２７で開いているウインドウ３があると判断された場合、イグニッションがオフの状態で、乗員が車両を離れた際に、ウインドウ３の閉め忘れがあると判断され、ステップＳ２８でウインドウ３が全閉にされる（駆動モータ５がウインドウ３を閉じる方向に駆動する）。
【００７７】
ウインドウ３が閉じられる過程で、即ち、ステップＳ２９で挟まれ判定がないか否かが判断され、ステップＳ２９で挟まれ判定がないと判断された場合、ウインドウ３が全閉にされたことになり、ステップ３０に移行してウインドウ３を所定量開く処理を実行して処理が終了する。
【００７８】
ステップ３０では、駆動モータ５が開き方向に所定時間駆動され、例えば、記憶手段２２（図３参照）に記憶された時間駆動され、ウインドウ３が所定量（例えば、２０ｍｍ）開き動作される。つまり、ウインドウ３は、一旦全閉状態にされてから、所定量開かれて所定の開き位置に制御される。
【００７９】
このため、基準となる位置（全閉位置）から所定の開き位置までの動作量を最小限にすることができ、複数のウインドウ３の制御を行う場合でも、ウインドウ３所定の開き位置に正確に合わせることができ、ウインドウ３の開き位置を容易に揃えることが可能になる。
【００８０】
ウインドウ３の所定の開き量は、駆動モータ５の駆動時間により設定されるため、位置を直接検出することなく開き量を管理することができる。駆動モータ５の駆動時間の設定（ウインドウ３の開き量の設定）は、任意に設定可能であり、予め車内の機器（セレクトスイッチ１５、電子機器等）で設定したり、乗員の携帯端末を用いてその都度設定したりすることが可能である。
【００８１】
防犯、及び、車内温度の上昇防止を目的としてウインドウ３を少し開けておく状態にすることを乗員が選択している場合に、イグニッションがオフの状態で、乗員が車両を離れた際に、ウインドウ３の閉め忘れがあっても、ウインドウ３が強制的に所定量の開き状態にされる。
【００８２】
従って、ウインドウ３を閉め忘れた状態で、イグニッションをオフにして乗員が車両を離れても、防犯、及び、車内温度の上昇防止を目的としてウインドウ３を所定の開き状態にすることができ、ウインドウ３の閉め忘れをなくすことができる。
【００８３】
上述したパワーウインドウ装置は、ウインドウ３を開けたままの状態で、イグニッションをオフにして乗員が車両を離れても、ウインドウ３の全閉状態とウインドウ３を少し開けておく状態とを選択して、ウインドウ３を強制的に閉じることが可能になる。
【００８４】
このため、ウインドウ３を開けたままにしても、乗員の意思により、全閉状態とウインドウ３を少し開けておく状態とを選択した状態で、しかも、予めウインドウ３を所望の開き状態に調節する操作をすることなく、ウインドウ３の閉め忘れをなくすことができ、使い勝手の良いパワーウインドウ装置となる。
【産業上の利用可能性】
【００８５】
本発明は、ウインドウの閉め忘れをなくすことができるパワーウインドウ装置の産業分野で利用することができる。
【符号の説明】
【００８６】
１  ドア
２  ドアサッシュ
３  ウインドウ
４  ウインドウレギュレータ
５  駆動モータ
６  駆動ギヤ
７  昇降アーム
８  従動アーム
１１  強制制御手段
１２  ウインドウ操作スイッチ
１３  操作スイッチ
１５  セレクトスイッチ
２１  モード設定手段
２２  記憶手段
【図１】
2014211017.tif 000003
【図２】
2014211017.tif 000004
【図３】
2014211017.tif 000005
【図４】
2014211017.tif 000006
【図５】
2014211017.tif 000007
【図６】
2014211017.tif 000008